(57)【要約】【課題】冷凍機稼動時の必要とされる稼動データのみを監視センタで収集させることができる冷凍機の遠隔監視データ収集方法を提供する。【解決手段】冷凍機１の運転制御を行う冷凍機制御装置１ａと、この冷凍機制御装置１ａに接続され、冷凍機１の運転状態を監視するとともに、稼動データを取得する遠隔監視端末２と、この遠隔監視端末２と通信回線網３を介して遠隔的に接続される監視センタ４とを備え、遠隔監視端末２から運転状況及び稼動データを監視センタ４へ送信するようにしたものにおいて、遠隔監視端末２は、稼動データに対して当該冷凍機１の稼動中及び休止中に区別して格納し、稼動中の稼動データを監視センタ４へ送信するとともに、監視センタ４からの当該冷凍機１の所定時間の稼動データ送信の依頼に応じて、稼動データの取得済み情報を保存するようにしてある。【選択図】図３
2010032131.tif 000002
【特許請求の範囲】
【請求項１】
冷凍機の運転制御を行う冷凍機制御装置と、この冷凍機制御装置に接続され、前記冷凍機の運転状態を監視するとともに、稼動データを取得する遠隔監視端末と、この遠隔監視端末と通信回線網を介して遠隔的に接続される監視センタとを備え、前記遠隔監視端末から運転状況及び稼動データを前記監視センタへ送信するようにした、冷凍機の遠隔監視データ収集方法において、
前記遠隔監視端末は、稼動データに対して当該冷凍機の稼動中及び休止中に区別して格納し、稼動中の稼動データを前記監視センタへ送信するとともに、前記監視センタからの当該冷凍機の所定時間の稼動データ送信の依頼に応じて、稼動データの取得済み情報を保存することを特徴とする冷凍機の遠隔監視データ収集方法。
【請求項２】
請求項１記載の冷凍機の遠隔監視データ収集方法において、
前記遠隔監視端末は、休止中の稼動データであっても、当該冷凍機の異常状態のときは当該稼動データを前記監視センタへ送信することを特徴とする冷凍機の遠隔監視データ収集方法。
【発明の詳細な説明】
【技術分野】
【０００１】
本発明は冷凍機遠隔監視システムにおいて、冷凍機温度データなど連続した稼動データを監視センタにて収集する冷凍機の遠隔監視データ収集方法に関する。
【背景技術】
【０００２】
冷凍機の遠隔監視においては、異常検知や兆候分析のために冷凍機稼動中の各部温度データなどの連続データの全てを知ることが重要であり、このために冷凍機の遠隔監視センタでは現地遠隔監視端末が定期的に採取したデータ全てを通信回線網を介して収集を行っている。
【０００３】
しかしこの通信回線網が公衆電話回線などの従量制通信手段である場合には、すべての監視データを収集するためには過大な通信料金が必要となるため、これを効率的に収集する方法が重要である。冷凍機に限らず効率的にデータ収集を行う方法としては、監視センタ側で収集済みデータをチェックし、不足分データのみを収集要求する方法がある（特許文献１、特許文献２参照）。
【特許文献１】特開平９−３１９７７０号公報
【特許文献１】特開平５−９４５４５号公報
【発明の開示】
【発明が解決しようとする課題】
【０００４】
前述した従来技術においては、監視センタ側で取得済みデータかをチェックするために遠隔監視端末側が保持するデータ内容を考慮しておらず、例えば冷凍機が休止中のような場合でも監視センタでデータを取得することにより、無駄な通信処理時間が長くなりやすいという問題点があった。
【０００５】
本発明の目的は、冷凍機稼動時の必要とされる稼動データのみを監視センタで収集させることができる冷凍機の遠隔監視データ収集方法を提供することにある。
【課題を解決するための手段】
【０００６】
前記目的を解決するために、本発明の冷凍機の遠隔監視データ収集方法は、前記遠隔監視端末は、稼動データに対して冷凍機の稼動中及び休止中に区別して格納し、稼動中の稼動データを前記監視センタへ送信するとともに、前記監視センタからの前記冷凍機の所定時間の稼動データ送信の依頼に応じて、稼動データの取得済み情報を保存するようにしたことを特徴とする。
【０００７】
また、本発明の冷凍機の遠隔監視データ収集方法は、前記発明において、前記遠隔監視端末は、休止中の稼動データであっても、当該冷凍機の異常状態のときは前記稼動データを前記監視センタへ送信することを特徴とする。
【発明の効果】
【０００８】
本発明の冷凍機の遠隔監視データ収集方法は、冷凍機の稼動時の必要な稼動データだけを監視センタへ送信するので、無駄な通信処理を排除することができるとともに、監視センタが取得済みのデータを遠隔監視端末が認識して重複データの送信を排除するようにしたので、従来に比べて通信処理時間を短縮することができる。
【発明を実施するための最良の形態】
【０００９】
以下、本発明を実施するための最良の形態を図に基づいて説明する。
【００１０】
図１は、本発明に係る冷凍機の遠隔監視データ収集方法の一実施形態が適用される冷凍機遠隔監視システムの構成図である。
【００１１】
本実施形態が適用される冷凍機遠隔監視システムは、図１に示すように、冷凍機１の運転制御を行う冷凍機制御装置１ａと、冷凍機制御装置１ａに接続されその運転状況を監視し冷凍機稼動データを格納する遠隔監視端末２と通信回線網３を介して遠隔監視端末２に接続され冷凍機１の遠隔監視を行う監視センタ４とを備えている。この監視センタ４は、遠隔監視端末２と通信回線網３を介して接続され遠隔監視端末２内に格納された冷凍機１の稼動データを収集するデータ収集通信装置４ａと、データ収集通信装置４ａにて収集した冷凍機稼動データを保存する収集データ格納装置４ｂとを含んでいる。
【００１２】
図２は、図１に示す冷凍機遠隔監視システムに備えられる遠隔監視端末に保持されるデータを示す図である。
【００１３】
前述した遠隔監視端末２に保持される格納稼動データ５は、図２に示すように、稼動データタイムスタンプ５ａと、冷凍機１の稼動中及び休止中を表す稼動ステータス５ｂと、監視センタ４への稼動データ送信済み及び未送信を表す送信ステータス５ｃ、冷凍機１の正常状態及び異常状態を表す異常ステータス５ｄとを含んでいる。
【００１４】
図３は本発明の一実施形態を示す冷凍機遠隔監視データ収集における遠隔監視端末データ送信フローチャートである。以下前述した図１、２も含めて本発明に係る冷凍機の遠隔監視データ収集方法の一実施形態について説明する。
【００１５】
遠隔監視端末２は図３に示すように冷凍機１の稼動状態を例えば５分ごとに監視し（手順S１）、冷凍機制御装置１ａの稼動データを内部に格納する（手順S２）。このとき、冷凍機制御装置１ａの稼動ステータス５ｂを遠隔監視端末２内部に稼動データとともに格納する。このようにして遠隔監視端末２内に図２のように稼動データを格納し、遠隔監視端末２内のメモリ格納領域の空き領域がなくなったら古い稼動データから上書き消去する。次に、監視センタ４からの定期的な依頼に応じてこの遠隔監視端末２から監視センタ４へ保存されている稼動データの送信を開始する（手順S３）。
【００１６】
この際、遠隔監視端末２はメモリ内の稼動データの内、稼動ステータス５ｂが稼動中（手順S４）、かつ、送信ステータス５ｃが未送信のデータのみ（手順S５）を監視センタ４のデータ収集通信装置４ａに送信する（手順S６）。監視センタ４からの要求データの全件が処理されたときに（手順S８）、データ収集通信装置４ａにて取得された遠隔監視端末２内の稼動データは送信ステータス５ｃを送信済みに更新する（手順S１０）。
【００１７】
なお、手順S５において稼動データの送信ステータスが送信済みのときは、その稼動データの送信は行われない（手順S７）。また手順S８の判断で要求データに対する処理が残されているときは、その残されている稼動データの処理がなされる（手順S９）。
【００１８】
このようにして、監視センタ４内のデータ収集通信装置４ａは、通信回線網３を介して、遠隔監視端末２内の稼動データを取得して収集データ格納装置４ｂ内に保存する。
【００１９】
また、冷凍機１の稼動状況を常時監視する遠隔監視端末２において、冷凍機１の異常が認められたときには（手順S１１）、その異常発生時点から例えば３０分前までの稼動データに対し手順S５の判断を行う（手順S１１）。このとき、冷凍機制御装置１の異常ステータス５ｄを異常として遠隔監視端末２内部に稼動データとともに格納する。そして直ちに通信回線網３を介して監視センタ４内のデータ収集通信装置４ａに接続し、異常検出時点及びその３０分前までの稼動データを送信して収集データ格納装置４ｂ内に保存する。この際、遠隔監視端末２はメモリ内稼動データの内、稼動ステータス５ｂにかかわらず送信ステータス５ｃが未送信のデータのみデータ収集通信装置４ａに送信するとともに（手順S６）、データ収集通信装置４ａにて取得された遠隔監視端末２内の稼動データは送信ステータス５ｃを送信済みに更新する（手順S１０）。また、異常ステータス５ｄが異常の稼動データ及び異常検出時から３０分前までの稼動データに関しては、前述の手順S１１で述べたように、稼動ステータス５ｂだが休止中であっても監視センタ４に送信する。
【００２０】
このようにして、行なう本発明に係る冷凍機遠隔監視データ収集方法の一実施形態によれば、冷凍機１の稼動時の必要な稼動データだけを監視センタ４へ送信するので、無駄な通信処理を排除することができるとともに、監視センタ４が取得済みのデータを遠隔監視端末２が認識して重複データの送信を排除するようにしたので、通信処理時間を短縮することができる。
【図面の簡単な説明】
【００２１】
【図１】本発明に係る冷凍機の遠隔監視データ収集方法の一実施形態が適用される冷凍機遠隔監視システムの構成図である。
【図２】図１に示す冷凍機遠隔監視システムに備えられる遠隔監視端末に保持されるデータを示す図である。
【図３】本発明に係る冷凍機の遠隔監視データ収集方法の一実施形態を示すフロ−チャートである。
【符号の説明】
【００２２】
１    冷凍機
１ａ  冷凍機制御装置
２    遠隔監視端末
３    通信回線網
４    監視センタ
４ａ  データ収集通信装置
４ｂ  収集データ格納装置
５    格納稼動データ
５ａ  タイムスタンプ
５ｂ  稼動ステータス
５ｃ  送信ステータス
５ｄ  異常ステータス
【図１】
2010032131.tif 000003
【図２】
2010032131.tif 000004
【図３】
2010032131.tif 000005